(57)【要約】      （修正有） 【課題】移植具本体の拡張幅を最大化させ、また、内部空間を最大限確保して脊椎融合手術後、骨との融合を促進できるようにした脊椎融合手術用移植具を提供する。【解決手段】外周面に凹凸が形成され、両側の相互に対向する面は相互に通じる貫通部が形成され、貫通部が形成された側面には相互貫通される挿入ホールが形成され、上部から下部の一部に至るまでは切開線が繋がるように形成された移植具本体１０と;移植具本体の後端面中央と貫通部の下端中央部を貫くボルト締結孔１４と;移植具本体の外部に突出しないように挿入ホールに挿入装着され、移植具本体に形成された貫通部と同一の大きさ及び形状の貫通部が形成された移植具本体拡張具２０と;移植具本体拡張具の下端部と貫通するように連結設置され、ボルト締結孔に結合されて必要によって移植具本体拡張具を移動させて移植具本体を切開線を中心に拡張させるボルト３０と、を含む構成でなる。 【選択図】図５
2008054710.tif 000002
【特許請求の範囲】
【請求項１】
外周面に凹凸が形成され、両側の相互に対向する面は相互に通じる貫通部が形成され、上記貫通部が形成された側面には相互貫通される挿入ホールが形成され、上部から下部の一部に至るまでは切開線が繋がるように形成された移植具本体と; 
上記移植具本体の後端面中央と上記貫通部の下端中央部を貫くボルト締結孔と; 
上記移植具本体の外部に突出しないように、上記挿入ホールに挿入装着され、上記移植具本体に形成された貫通部と同一の大きさ及び形状の貫通部が形成された移植具本体拡張具と; 
上記移植具本体拡張具の下端部と貫通するように連結設置され、上記ボルト締結孔に結合して必要によって上記移植具本体拡張具を移動させて移植具本体を切開線を中心に拡張させるボルトと、を含む構成を特徴とする脊椎融合手術用移植具。 
【請求項２】
上記外周面に凹凸が形成された移植具本体の形状は、上部が円弧形である六面体の4角柱形態であることを特徴とする請求項1に記載の脊椎融合手術用移植具。 
【請求項３】
上記移植具本体の外周面に形成された凹凸は、貫通部が形成された該当の面だけ形成され、その凹凸の形態は鋸歯形態であることを特徴とする請求項1又は2に記載の脊椎融合手術用移植具。 
【請求項４】
上記移植具本体に形成された切開線の切開範囲は、貫通部の最下端より更に長く延長形成させてなることを特徴とする請求項1に記載の脊椎融合手術用移植具。 
【請求項５】
上記外周面に凹凸が形成された移植具本体の形状は、上面が円弧形の円柱形態であることを特徴とする請求項1に記載の脊椎融合手術用移植具。 
【請求項６】
上記円柱型の移植具本体に形成された凹凸は、上面と下面及び貫通部を除いた円柱面全体に成形されたもので、その円柱面全体に形成された凹凸は突出帯が一定間隔で形成されたことを特徴とする請求項5に記載の脊椎融合手術用移植具。 
【請求項７】
上記脊椎融合手術用移植具の材質は、コバルト、クロム、ステンレス、チタン、プラスチック、セラミックスの中、いずれかを選択したことを特徴とする請求項1に記載の脊椎融合手術用移植具。
【発明の詳細な説明】
【技術分野】
【０００１】
本発明は脊椎融合手術用移植具に関するものであって、更に詳しくは、脊椎融合手術用移植具の構造を簡単にして製作を容易にするだけでなく、移植具本体の拡張幅を最大化させ、特に、移植具本体の内部空間を最大限確保して脊椎融合手術後、骨との融合促進のため、注入される融合促進剤を充分に注入することができるようにすることで、手術を受けた患者の骨融合期間を縮め、それによる患者の負担を減少させるようにしたものである。 
【背景技術】
【０００２】
人体において脊椎は多数の椎体(Body of spine)がベルニアによって繋がれてS字形の曲線を成していて、一つの椎体は円筒状の椎体と椎体裏側に後弓から構成されていて、 上記後弓は一対の脊椎茎と、 その脊椎茎に延び後方へ伸長された上下関節突起と、椎弓板、そして棘突起などで脊椎管を形成していて、上記脊椎管を通じて神経が位置するようになる。 
【０００３】
上記のような脊椎において、椎体を連結しているベルニアが変成されるか、又は破裂して正常の位置から離脱するか、脊椎後方の突起で構成された関節が損傷されるか変成された場合、脊椎が正常の位置から変形及び転位されるなどの様々の理由で脊椎管を通過する神経に外力が加えられるか圧迫する場合には痛症を誘発することが知られている。 
【発明の開示】
【発明が解決しようとする課題】
【０００４】
一方、脊椎の一部、特にベルニアが破損されるか損傷された患者の場合、該当するベルニアの代わりをした脊椎融合移植具を用いて脊椎を融合する手術をすることになる。 そして、 脊柱前湾症の損失と関連した人体内の脊椎融合は脊椎ベルニアが占める隣接椎体の間のベルニア空間を通じるBony bridging 方式で手術することが通常である。 
【０００５】
上記脊椎融合手術でBony bridging 方式は隣接椎体の間のベルニア空間を貫くボア(bore)を形成し、ここに脊椎融合移植具を挿入して脊椎融合移植具と一緒に隣接椎体を融合させる方式である。 
【０００６】
このような方式で脊椎融合する従来の脊椎融合手術用移植具40は、図1に示したように相互対向する両方が貫通しており、周りに沿って一定に穴(41)が形成されている連続型帯形態で成っており、先端と後端にはそれぞれ脊椎融合移植具40を挿入するか、又は90゜回転させるために手術ドライバーを連結するか、骨材料や融合促進材料を投入するためのホール42が形成されている。 特に、上記脊椎融合移植具40の先端部は後端部より左右の幅が広くなっていて、移植完了後、隣接する椎体の間の前後間隔に適当に挿入されて安定に支持することができるようになる。 
【０００７】
このような従来の脊椎融合手術用移植具40は、隣接する椎体の間の前後間隔に合うように、先端の左右の幅を後端より大きく製作することで、横にして挿入した後、 90゜回転させると、突出した両縁によって不要に骨が削られて正常な骨が損傷を被るようになる問題点があり、これにより骨の融合期間が相当長引くなど患者に多くの負担を与える問題点がある。 
【０００８】
又、図2の脊椎融合手術用移植具50の場合には先端部が拡張可能な円筒状の移植具本体51と、その移植具本体の先端部拡張ができるようにする移植具加圧体56と、上記移植具本体の内側に締結されつつ移植具加圧体を押し付ける移植具体結締52と、上記移植具本体の後部に組み合わせにより、その後部を締め付けるキャップ53とを、含む構成となっていて、上記移植具本体の表面は長さ方向に沿って連続する波柄の凹凸54と多数の穴55が形成され、上記移植具加圧体にも多数の穴57が形成されている。 
【０００９】
図3の脊椎融合手術用移植具60の場合には、後端部のピン結合部位を通じてお互いに相対しながら、並んで組み合わされ、先端部を利用して拡張可能な一対の移植具本体60と、中心を貫くネジ孔61を有していて、上記移植具本体の後端部ピン結合部位を支持する移植具支持体62と、上記移植具支持体のネジ孔に締結され、移植具本体の先端部拡張のための締結力を提供する移植具体結締体63と、上記移植具体結締体及び一対の移植具本体とそれぞれ連結され、移植具体結締体から締結力が提供されて一対の移植具本体を外方へ開けるリンク部材64を含む構成からなっている。 
【００１０】
以上の図2 及び図3に示した脊椎融合手術用移植具50、60は構造があまりにも複雑で難解であって、製作上の難しさと製造コストが高くなる問題点があり、 またその移植具本体51、60の内部に移植具加圧体56と、リンク部材64が挿入装着されるため、それによる移植具本体51、60の内部空間が狭小であって、脊椎融合手術後、骨との融合促進のため注入される融合促進剤を充分に注入することができない問題点が発生した。 よって、 骨の融合期間がよほど長引くなど患者に多くの負担を与える問題点があった。 
（課題を解決しようとする手段） 
【００１１】
本発明は上記のような諸般の問題点を勘案し、これを解消しようと発明したものであって、その目的は第一、脊椎融合手術用移植具の構造を簡単にし、従来複雑な構造による製作上の難しさと製造コストが高くなる問題点を解消して、 第二、移植具本体の拡張幅を極大化させ、 第三, 移植具本体の内部空間を最大限確保して脊椎融合手術後、骨との融合促進のために注入される融合促進剤を充分に注入することができるようにすることで、手術を受けた患者の骨融合期間を縮めて、それによる患者の負担を減少させることができる脊椎融合手術用移植具を提供することにある。 
【発明の効果】
【００１２】
上述したように、本発明の脊椎融合手術用移植具は、第一、移植具本体の拡張量を最大に確保するため、切開線を延長形成させ、 第二、 骨の成長及び骨融合促進剤を満たすように内部空間を最大限確保することで、 骨が安定的で速かに融合されることができるようにし、手術後、骨の成長と安全性を向上させることができるようにし、 窮極的に患者には手術後、骨の成長と安全性を向上させるに役に立つと共に、医者には手術の容易さによる心理的安定感を与えて脊椎融合手術が全般的に安全で效率的に進行することができるようにした效果がある。 
【発明を実施するための最良の形態】
【００１３】
上記目的を果たすための、本発明の脊椎融合手術用移植具構成は、外周面に凹凸が形成され、両側の相互に対向する面は相互に通じる貫通部が形成され、上記貫通部が形成された側面には相互貫通される挿入ホールが形成され、上部から下部の一部に至るまでは切開線が繋がるように形成された移植具本体と; 
上記移植具本体の後端面中央と上記貫通部の下端中央部を貫くボルト締結孔と; 
上記移植具本体の外部に突出しないように、上記挿入ホールに挿入装着され、上記移植具本体に形成された貫通部と同一の大きさ及び形状の貫通部が形成された移植具本体拡張具と; 
上記移植具本体拡張具の下端部と貫通するように連結設置され、上記ボルト締結孔に結合して必要によって、上記移植具本体拡張具を移動させ、移植具本体を切開線を中心に拡張させてボルトを含む構成からなっている。 
【００１４】
そして、上記外周面に凹凸が形成された移植具本体の形状は、上部が円弧形である六面体の4角柱形態で、上記移植具本体の外周面に形成された凹凸は、貫通部が形成された該当の面だけ形成され、その凹凸の形態は鋸歯形態であり、 上記移植具本体に形成された切開線の切開範囲は、貫通部の最下端より更に長く延長形成させてなったものである。 
【００１５】
また、上記外周面に凹凸が形成された移植具本体の形状は、上面が円弧形である円柱形態であり、上記円柱形の移植具本体に形成された凹凸は、上面と下面及び貫通部を除いた円柱面全体に成形されたものであり、その円柱面全体に形成された凹凸は突出帯が一定間隔で形成されたものである、上記脊椎融合手術用移植具の材質は、 コバルト、 クロム、 ステンレス、 チタン、 プラスチック、 セラミックスの中、いずれかの選択されたものである。 
【００１６】
上記のような構成でなった脊椎融合手術用移植具を添付した図面を参照して詳細に説明すれば次の通りである。 
【００１７】
本発明の図面、図 4 及び図5は本発明の第1実施例の脊椎融合手術用移植具の斜視図であり、図 5は本発明の第1実施例の脊椎融合手術用移植具分解斜視図であって、ここに示したように、脊椎融合手術用移植具本体10は外周面に凹凸12が形成され、両側の相互に対向する面は相互に通じる貫通部11が形成され、その貫通部11が形成された面の他側両面中央には上部から下部の一部に至るまで繋がる切開線13が形成されている。 
【００１８】
このように形成された上記移植具本体10の見掛け形状は直方体すなわち、4角柱形態になっていて、 その直方体すなわち 4角柱形態になっている移植具本体10の上面は円弧形で形成させたが、 その理由は、 脊椎手術をしようと骨の間に移植具本体10を挿入する時、その挿入を容易にするためである。 
【００１９】
又、上記移植具本体10の貫通部11は両側面の相互対向する面に相互に通じるように形成されるが、その理由は、脊椎融合手術後、骨との融合促進のため、注入される融合促進剤を充分に注入することができる空間を確保することができ、それと同時に骨の内部成長によるその骨の結合を助ける役目をするため、空間を最大に確保することが望ましい。 
【００２０】
又、上記貫通部11が形成された両側面末端には鋸歯形態の凹凸12が形成されているが、その凹凸12を形成させた理由は、脊椎手術をしようと骨の間に移植具本体10を挿入した時、その挿入された移植具本体10が骨の間で位置移動しないで安全に固定できるように形成させたものである。 
【００２１】
一方、上記凹凸12が形成された面の側面、すなわち残りの両面には挿入ホール(15)が相互に貫通するように形成されているが、その挿入ホール(15)は移植具本体拡張具20が収容できるように形成されていて、ここに移植具本体拡張具20を挿入すると安全で堅固な結合が可能である。 
【００２２】
但し、上記移植具本体拡張具20の両外郭幅及び形状は移植具本体10の両外郭幅及び形状と同一に形成されているので、移植具本体10の挿入ホール(15)に移植具本体拡張具20を挿入すると、上記移植具本体10の形状である直方体すなわち 4角柱形態を損傷しない。 
【００２３】
そして、上記移植具本体拡張具20に形成された貫通部(21)と移植具本体10に形成された貫通部11はその大きさ及び形状が同一であるので、上記移植具本体10に移植具本体拡張具20を結合すると貫通部11(21)は相互一致する。 
【００２４】
又、上記移植具本体10に形成された切開線13は上記円弧形面の中央と挿入ホール(15)の両仮想線に沿って移植具本体10の下部体の一部に至るまで延長形成されるが、 その理由は移植具本体10の拡張量を最大に確保するためである。 
【００２５】
また、上記移植具本体10aの底面中央と貫通部11aの下面の中央部の間には、ボルト締結孔14aを貫通形成させ、ここにボルト30をねじ結合するようになっていて、上記ボルト(30)の先端は上記移植具本体拡張具20末端を貫いて連結設置される。 よって、 ボルト30を回転させれば、移植具本体拡張具20は貫通部11内で前後に動きながら移植具本体10aの切開線13aを中心に拡張するようになるものである。 
【００２６】
但し、上記ボルト30aの後端には手術用ドライバー(B)を結合できるように溝31aが形成されていて、ここに上記手術用ドライバーを結合した後、ボルト30aを回転させる。 
【００２７】
上述したように、本発明の第1実施例の脊椎融合手術用移植具を図6a及び図6bを参照して作用を説明すれば次の通りである。 
【００２８】
先ず、図6aに示したように、移植具本体10の挿入ホール15に移植具本体拡張具20を挿入し、ボルト締結孔14にボルト30を結合した後、それを脊髓の該当の骨と骨との間、つまり、隣接された脊体の間に挿入する。 そして、手術用ドライバー(B)を溝31に嵌め込んだ後、上記ボルト30を回転させると、その回転されるボルト30は図6bに示したように進みながら移植具本体10を拡張させるようになり、その拡張は切開線13を中心に移植具本体10が前方から分割されながら拡張される。 
【００２９】
上記のように移植具本体10が分割されながら拡張すると、図7に示したように、脊髓の該当骨と骨の間すなわち隣接する脊体の間が所望する程離れた状態で安定に支持することができ、この過程が完了すれば、上記手術用ドライバー(B)をボルト30の溝31から分離した後、貫通部11、21に骨の融合促進剤(骨伝導性、骨誘導性、骨形成材料)を充分に注入すれば脊髓手術が完了する。 
【００３０】
以上の説明は本発明の第1実施例の脊椎融合手術用移植具に関するもので, 以下の説明は本発明の第2実施例の脊椎融合手術用移植具に関するものである。 
【００３１】
本発明の図面、図 8は本発明の第2実施例の脊椎融合手術用移植具の斜視図であり、図 9は本発明の第1実施例の脊椎融合手術用移植具分解斜視図であって、ここに示したように、脊椎融合手術用移植具本体10aは外周面に凹凸12aが形成され、両側の相互に対向する面は相互に通じる貫通部11aが形成され、その貫通部11aが形成された面の他側両面中央には上部から下部の一部に至るまで繋がる切開線13aが形成されている。 
【００３２】
このように形成された上記移植具本体10aの見掛け形状は円柱形態になっていて、その円柱形態になっている移植具本体10aの上面は円弧形で形成させたが、その理由は、脊椎手術をしようと骨の間に移植具本体10aを挿入する時にその挿入を容易にするためである。 
【００３３】
又、上記移植具本体10aの貫通部11aは両側面の相互に対向する面に相互に通じるように形成されるが、その理由は、脊椎融合手術後、骨との融合促進のため、注入される融合促進剤を充分に注入することができる空間を確保することができ、それと同時に骨の内部成長によるその骨の結合を助ける役目をするため、空間を最大に確保することが望ましい。   
【００３４】
又、上記貫通部11aが形成された両側面末端には突出形態の凹凸12aが一定の間隔で形成されているが、その凹凸12aを形成させた理由は、脊椎手術をしようと骨の間に移植具本体10aを挿入した時、その挿入された移植具本体10aが骨の間で位置移動しないで安全に固定されるようにするため形成させたものである。 
【００３５】
一方、上記凹凸12aが形成された面の側面、すなわち残りの両面には挿入ホール(15)が相互貫通されるように形成されているが、その挿入ホール(15)は移植具本体拡張具20aが収容できるよう形成されていて、ここに移植具本体拡張具20aを挿入すると安全で堅固な結合が可能である。 
【００３６】
但し、上記移植具本体拡張具20aの両外郭幅及び形状は移植具本体10aの両外郭幅及び形状と同一に形成されているので、移植具本体10aの挿入ホール15aに移植具本体拡張具20aを挿入すると、上記移植具本体10aの形状である円柱形態を損傷しない。 
【００３７】
そして、上記移植具本体拡張具20aに形成された貫通部21aと移植具本体10aに形成された貫通部11aはその大きさ及び形状が同一であるので、上記移植具本体10aに移植具本体拡張具20aを結合すると貫通部11a、21aは相互に一致する。 
【００３８】
又、上記移植具本体10aに形成された切開線13aは、上記円弧形面の中央と挿入ホール15aの両仮想線に沿って移植具本体10aの下部体の一部に至るまで延長形成されるが、その理由は移植具本体10の拡張量を最大に確保するためである。 
【００３９】
また、上記移植具本体10aの底面中央と貫通部11aの下面の中央部の間には、ボルト締結孔14aを貫通形成させ、ここにボルト30aをねじ結合するようになっていて、上記ボルト30aの先端は上記移植具本体拡張具20aの末端を貫いて連結設置される。 よって、 ボルト30aを回転させれば、移植具本体拡張具20aは貫通部11内で前後動しながら移植具本体10aの切開線13aを中心に拡張するようになるものである。 
【００４０】
但し、上記ボルト30aの後端には手術用ドライバー(B)を結合できるように溝31aが形成されていて、ここに上記手術用ドライバーを結合した後、ボルト30aを回転させる。 
【００４１】
上述したように、本発明の第2実施例の脊椎融合手術用移植具を図10a及び図10bを参照して作用を説明すれば次の通りである。 
【００４２】
先ず、図10aに示したように、移植具本体10aの挿入ホール15aに移植具本体拡張具20aを挿入し、ボルト締結孔14aにボルト30aを結合した後、それを脊髓の該当の骨と骨との間、つまり、隣接された脊体の間に挿入する。 そして、手術用ドライバー(B)を溝31aに嵌め込んだ後、上記ボルト30aを回転させると、その回転されるボルト30aは図10bに示したように進みながら移植具本体10aを拡張させるようになり、その拡張は切開線13aを中心に移植具本体10aが前方から4分されながら拡張される。 
【００４３】
上記のように移植具本体10aが4分されながら拡張すると、図11に示したように、脊髓の該当骨と骨の間すなわち隣接する脊体の間が所望する程、離隔された状態で安定に支持することができ、この過程が完了すれば、上記手術用ドライバー(B)をボルト30aの溝31aから分離した後、貫通部11a、21aに骨の融合促進剤(骨伝導性、 骨誘導性、 骨形成材料)を充分に注入すれば脊髓手術が完了する。 
【００４４】
以上の本発明の第1及び第2実施例の脊椎融合手術用移植具はコバルト、クロム、 ステンレス、 チタン、 プラスチック、 セラミックスなどのような人体移植に相応しい材質で製造され、貫通部内部には、水酸化軟化石または任意の他の骨伝導性、骨誘導性、骨形成材料または他の融合形成材料などのような骨成長誘導材料で満たされるか被覆することができる。 
【図面の簡単な説明】
【００４５】
【図１】従来第１実施例の脊椎融合手術用移植具の斜視図である。
【図２】従来第２実施例の脊椎融合手術用移植具の断面構成図である。
【図３】従来第３実施例の脊椎融合手術用移植具の断面構成図である。
【図４】本発明の第１実施例による脊椎融合手術用移植具の斜視図である。
【図５】本発明の第１実施例による脊椎融合手術用移植具の分解斜視図である。
【図６ａ】本発明の第１実施例による脊椎融合手術用移植具の作用図である。
【図６ｂ】本発明の第１実施例による脊椎融合手術用移植具の作用図である。
【図７】本発明の第１実施例による脊椎融合手術用移植具の使用状態図である。
【図８】本発明の第2実施例による脊椎融合手術用移植具の斜視図である。
【図９】本発明の第2実施例による脊椎融合手術用移植具の分解斜視図である。
【図１０ａ】本発明の第2実施例による脊椎融合手術用移植具の作用図である。
【図１０ｂ】本発明の第2実施例による脊椎融合手術用移植具の作用図である。
【図１１】本発明の第2実施例による脊椎融合手術用移植具の使用状態図である。
【符号の説明】
【００４６】
10、10a  移植具本体
11、11a  貫通部
12、12a  凹凸
13、13a  切開線
14、14a  ボルト締結孔
15、15a  挿入ホール
20、20a  移植具本体拡張具
21、21a  貫通部
30、30a  ボルト
31、31a  溝
B  手術用ドライバー
【図１】
2008054710.tif 000003
【図２】
2008054710.tif 000004
【図３】
2008054710.tif 000005
【図４】
2008054710.tif 000006
【図５】
2008054710.tif 000007
【図６ａ】
2008054710.tif 000008
【図６ｂ】
2008054710.tif 000009
【図７】
2008054710.tif 000010
【図８】
2008054710.tif 000011
【図９】
2008054710.tif 000012
【図１０ａ】
2008054710.tif 000013
【図１０ｂ】
2008054710.tif 000014
【図１１】
2008054710.tif 000015